(57)【要約】蝶番、錠、受け座、及び同様のもののためのほぞ穴加工キットは、ほぞ穴加工されることになる対象（例えば、ドア又はドアの側柱）に取り付け可能なガイドを含むことができる。キットは、チゼルの適正な配置を確実にするためにガイドのロケーティング機構と相互作用するチゼルを含むことができる。チゼルに加えられる力は、所望される深度まで対象に切れ目を入れることができるか、又はその他の方法で切り込むことができ、その地点において、ガイドのストッパ又は他の機構が、チゼルがより深く切れ目を入れるか、又は切り込むことを制限することができる。ガイドの両端にチゼルを配置することで、完全なほぞ穴周長の切れ目を入れるか、又は切り込むことが可能である。過剰な屑材は、例えば、ブロックプレーンの使用を通じて、ほぞ穴周長の間から取り除かれることができる。【選択図】図１０
2020528373.tif 000002
【特許請求の範囲】
【請求項１】
ほぞ穴加工キットであって、
基板へとほぞ穴周長切り込みを切り込むための刃を有するチゼルと、前記チゼルは、チゼルロケータ機構を含む、
ほぞ穴のロケーションにおいて前記基板上に位置付け可能であり、且つ周長を定める１つ又は複数のエッジを有するガイドと、前記ガイドは、前記ガイドと前記チゼルとの間でスライド可能な関係を確立するために、前記チゼルロケータ機構と相互作用するための少なくとも１つのガイドロケータ機構を有し、ここにおいて、前記スライド可能な関係は、前記チゼルの前記刃を、前記ガイドの前記周長に対して垂直であり、且つ前記ガイドの前記周長から離間された経路上に維持する、
を備える、ほぞ穴加工キット。
【請求項２】
前記ガイドは、前記ガイドと前記チゼルとの間で追加のスライド可能な関係を確立するために、前記チゼルロケータ機構を受け止めるための少なくとも１つの追加のロケータ機構を含み、前記追加のスライド可能な関係は、前記チゼルの前記刃を、前記ガイドの前記周長に対して垂直であり、且つ前記ガイドの前記周長から離間された追加の経路上に維持し、及び前記追加の経路は、前記スライド可能な関係にあるときに前記チゼルに加えられる力が前記基板中に第１のほぞ穴周長切り込みをもたらし、及び前記追加のスライド可能な関係にあるときに前記チゼルに加えられる力が前記基板中に前記第１のほぞ穴周長切り込みと部分的に交差する第２のほぞ穴周長切り込みをもたらすように前記経路から離間され、及び前記第１のほぞ穴周長切り込み及び前記第２のほぞ穴周長切り込みは、ほぞ穴周長を定める、請求項１に記載のほぞ穴加工キット。
【請求項３】
前記チゼルは、前記刃の移動を制限するために、前記スライド可能な関係にあるときに前記１つ又は複数のガイドロケータ機構の１つ又は複数の端面と相互作用可能な肩部を含む、請求項１に記載のほぞ穴加工キット。
【請求項４】
前記チゼルは、肩部を含み、及び前記ガイドは、前記チゼルと前記ガイドとが前記スライド可能な関係にあるときに前記刃の移動を制限するために、前記チゼルの肩部と相互作用可能な１つ又は複数のストッパを含む、請求項１に記載のほぞ穴加工キット。
【請求項５】
前記チゼルは、前記刃を取り外し可能に固定するための刃ホルダを含む、請求項１に記載のほぞ穴加工キット。
【請求項６】
前記刃と交換可能な少なくとも１つの追加の刃を更に備え、前記刃は、第１のほぞ穴形状に関連付けられたほぞ穴周長切り込みを作り出すように形成され、及び前記少なくとも１つの追加の刃は、前記第１のほぞ穴形状とは異なる１つ又は複数の追加のほぞ穴形状に関連付けられたほぞ穴周長切り込みを作り出すように形成される、請求項５に記載のほぞ穴加工キット。
【請求項７】
前記チゼルロケータ機構及び前記少なくとも１つのガイドロケータ機構は、突起を含み、前記チゼルロケータ機構及び前記少なくとも１つのガイドロケータ機構のうちのもう１つは、開口部を含み、前記突起及び前記開口部は、前記チゼルロケータ機構と前記ガイドロケータ機構とが相互作用するときに前記スライド可能な関係を確立する、請求項１に記載のほぞ穴加工キット。
【請求項８】
ほぞ穴加工キットであって、
刃を有するチゼル上に、及び前記刃から離間された距離を隔てて位置付け可能なチゼルロケータ機構と、
周長を有するガイド上に、及び前記周長から離間された距離を隔てて位置付け可能なガイドロケータ機構と、ここにおいて、前記刃は、前記チゼルロケータ機構が前記ガイドロケータ機構と相互作用するときに前記周長に対して垂直であり、且つ前記周長から離間された経路の範囲に留められる、
を備える、ほぞ穴加工キット。
【請求項９】
前記チゼルロケータ機構が追加のガイドロケータ機構と相互作用するときに前記刃が前記周長に対して垂直であり、且つ前記周長から離間された追加の経路の範囲に留められるように、前記ガイド上に位置付け可能な前記追加のガイドロケータ機構を更に備え、前記チゼルに加えられる力は、前記チゼルロケータ機構が前記ガイドロケータ機構と相互作用するときに第１のほぞ穴周長切り込みをもたらし、前記チゼルに加えられる力は、前記チゼルロケータ機構が前記追加のガイドロケータ機構と相互作用するときに第２のほぞ穴周長切り込みをもたらし、前記第１のほぞ穴周長切り込み及び第２のほぞ穴周長切り込みは、ほぞ穴周長を定めるように部分的に交差する、請求項８に記載のほぞ穴加工キット。
【請求項１０】
前記チゼルロケータ機構が前記ガイドロケータ機構と相互作用するときに前記刃の移動を制限するために、前記チゼル上に位置付け可能であり、且つ前記ガイドロケータ機構の端面と相互作用可能な肩部を更に備える、請求項８に記載のほぞ穴加工キット。
【請求項１１】
前記チゼル上に位置付け可能なチゼル肩部と、
前記チゼルロケータ機構が前記ガイドロケータ機構と相互作用するときに前記刃の移動を制限するために、前記ガイド上に位置付け可能であり、且つ前記チゼル肩部と相互作用可能なストッパと
を更に備える、請求項８に記載のほぞ穴加工キット。
【請求項１２】
前記チゼルは、前記刃を取り外し可能に固定するための刃ホルダを含む、請求項８に記載のほぞ穴加工キット。
【請求項１３】
前記刃と交換可能な追加の刃を更に備え、前記刃は、第１のほぞ穴形状に関連付けられたほぞ穴周長切り込みを作り出すように形成され、及び前記追加の刃は、前記第１のほぞ穴形状とは異なる第２のほぞ穴形状に関連付けられたほぞ穴周長切り込みを作り出すように形成される、請求項１２に記載のほぞ穴加工キット。
【請求項１４】
前記チゼルロケータ機構及び前記ガイドロケータ機構のうちの１つは、突起を含み、前記チゼルロケータ機構及び前記ガイドロケータ機構のうちのもう１つは、開口部を含み、前記突起及び前記開口部は、前記チゼルロケータ機構と前記ガイドロケータ機構とが相互作用するときにスライド可能な関係を確立する、請求項８に記載のほぞ穴加工キット。
【請求項１５】
方法であって、
基板素材上にガイドを位置付けすることと、前記ガイドは、ガイドロケータ機構を含む、
チゼルのチゼルロケータ機構を前記ガイドの前記ガイドロケータ機構と整列させることと、
前記ガイドロケータ機構と前記チゼルロケータ機構との間の相互作用を誘発し、及び前記基板素材の表面に対して前記チゼルの刃を配置するために、前記チゼルを操作することと、
前記刃を前記基板素材へと押し付け、及びほぞ穴周長切り込みを生じさせるために、前記チゼルに力を加えることと
を備える、方法。
【請求項１６】
前記チゼルロケータ機構と前記ガイドロケータ機構とを分離することによって、前記チゼルを取り外すことと、
前記チゼルロケータ機構を前記ガイドの追加のガイドロケータ機構と整列させることと、
前記追加のガイドロケータ機構と前記チゼルロケータ機構との間の相互作用を誘発し、及び前記基板素材の前記表面に対して前記チゼルの前記刃を配置するために、前記チゼルを操作することと、
前記刃を前記基板素材へと押し付け、及び追加のほぞ穴周長切り込みを生じさせるために、前記チゼルに力を加えることと、ここにおいて、前記ほぞ穴周長切り込み及び前記追加のほぞ穴周長切り込みは、ほぞ穴周長を定めるように部分的に交差する、
を更に備える、請求項１５に記載の方法。
【請求項１７】
前記ほぞ穴周長内の前記基板素材から素材を取り除くために、ブロックプレーンをあてがうこと
を更に備える、請求項１６に記載の方法。
【請求項１８】
前記チゼルに力を加えることは、前記チゼルの肩部に、前記基板素材への前記刃の移動を制限するために、前記ガイドロケータ機構の端面と相互作用させるのに十分な力を加えることを含む、請求項１５に記載の方法。
【請求項１９】
前記チゼルに力を加えることは、前記チゼルの肩部に、前記基板素材への前記刃の移動を制限するために、前記ガイドのストッパと相互作用させるのに十分な力を加えることを含む、請求項１５に記載の方法。
【請求項２０】
前記チゼルロケータ機構を前記ガイドロケータ機構と整列させることは、突起を開口部と整列させることを含み、前記突起及び前記開口部は、前記チゼルロケータ機構と前記ガイドロケータ機構とが相互作用するときにスライド可能な関係を確立する、請求項１５に記載の方法。
【発明の詳細な説明】
【関連出願の相互参照】
【０００１】
[0001]本願は、２０１７年７月２４日に出願された米国特許出願第１５／６５８，３４０号の利益を主張し、それは、全ての目的についてその全体が参照によって本明細書に組み込まれる。
【技術分野】
【０００２】
[0002]本開示は、一般に木工に関し、及びより具体的には、蝶番及び他の金物用のほぞ穴を準備することに関する。
【背景技術】
【０００３】
[0003]多くの従来の蝶番は、蝶番がドア又はドアの側柱のような対象素材と面一に設置され得るように、ほぞ穴又は切り出し中に設置される。この面一関係は、蝶番の適正な機能性を確実にし、蝶番の完全性を維持し、及び望ましい外観を維持するのに重要であり得る。例えば、多くのドア及びドア枠は、蝶番が設置され得るいくつかのほぞ穴が準備されることができる。これらのほぞ穴の作成は、適正に行うには困難且つ時間が掛かるタスクとなりかねない。加えて、蝶番は多くの異なる形状及びサイズで存在することから、ほぞ穴が、所望される蝶番にとって適正なサイズに切り込まれることを確実にしなければならない。
【０００４】
[0004]本明細書は、以下の添付された図面に言及し、それらにおいて、異なる図面における同様の参照番号の使用は、同様又は類似のコンポーネントを例示することを意図されている。
【図面の簡単な説明】
【０００５】
【図１】本開示のある特定の態様にしたがった、ほぞ穴加工キットを図示する不等角投影図である。
【図２】本開示のある特定の態様にしたがった、ほぞ穴加工キットのガイドの上面図である。
【図３】本開示のある特定の態様にしたがった、ほぞ穴加工キットのチゼルの側面図である。
【図４】本開示のある特定の態様にしたがった、ほぞ穴加工キットのチゼルの上面図である。
【図５】本開示のある特定の態様にしたがった、面取り角を有するほぞ穴加工キットのチゼルの底面図である。
【図６】本開示のある特定の態様にしたがった、小半径フィレット角を有するほぞ穴加工キットのチゼルの底面図である。
【図７】本開示のある特定の態様にしたがった、中半径フィレット角を有するほぞ穴加工キットのチゼルの底面図である。
【図８】本開示のある特定の態様にしたがった、大半径フィレット角を有するほぞ穴加工キットのチゼルの底面図である。
【図９】本開示のある特定の態様にしたがった、ほぞ穴加工キットの二枚刃チゼルの底面図である。
【図１０】本開示のある特定の態様にしたがった、ガイドに対するチゼルの配置を図示するほぞ穴加工キットの正面図である。
【図１１】本開示のある特定の態様にしたがった、ガイドによって設定された停止深度まで対象素材へと打ち込まれたチゼルを図示するほぞ穴加工キットの部分的切り欠き正面図である。
【図１２】本開示のある特定の態様にしたがった、ほぞ穴が切り込まれているドアを図示する側面図である。
【図１３】本開示のある特定の態様にしたがった、ほぞ穴が切り込まれているドアを図示する正面図である。
【図１４】本開示のある特定の態様にしたがった、ドア上のほぞ穴先行位置を図示する側面図である。
【図１５】本開示のある特定の態様にしたがった、ほぞ穴先行位置に沿って位置付けられたチゼル刃を図示するドアの側面図である。
【図１６】本開示のある特定の態様にしたがった、ほぞ穴先行位置に沿って位置付けられ、且つ第１のほぞ穴切り込みと重なり合うチゼル刃を図示するドアの側面図である。
【図１７】本開示のある特定の態様にしたがった、図１５及び１６に図示されたように位置付けられたチゼル刃を使用して切り込まれたほぞ穴周長を図示するドアの側面図である。
【図１８】本開示のある特定の態様にしたがった、ドア中のほぞ穴周長切り込みを図示する正面図である。
【図１９】本開示のある特定の態様にしたがった、ドアへの部分的ほぞ穴切り込みを図示する正面図である。
【図２０】本開示のある特定の態様にしたがった、ドアへのほぞ穴切り込みを図示する正面図である。
【図２１】本開示のある特定の態様にしたがった、ブロックプレーンの上部を図示する不等角投影図である。
【図２２】本開示のある特定の態様にしたがった、ブロックプレーンの底部を図示する不等角投影図である。
【図２３】本開示のある特定の態様にしたがった、ブロックプレーンの側面図である。
【図２４】本開示のある特定の態様にしたがった、対象素材へとほぞ穴を切り込むためのプロセスを図示するフローチャートである。
【発明を実施するための形態】
【０００６】
[0029]本開示のある特定の態様及び特徴は、蝶番、及び錠、受け座、及び同様のもののような他の類似の金物用のほぞ穴を作成するのに適したほぞ穴加工ツールに関する。ほぞ穴加工キットは、ドア又はドアの側柱のような、ほぞ穴加工されることになる対象への取り外し可能な取り付けに適したガイドを含むことができる。チゼルは、そのチゼルの適正な配置を確実にするために、ガイドのロケーティング機構と相互作用することができる。チゼルに加えられる力は、適した深度まで対象に切れ目を入れることができるか、又はその他の方法で切り込むことができる。ガイドのストッパ又は他の機構は、チゼルが対象内に過度に深く切れ目を入れるか、又は切り込むことを制限することができる。ガイドの両端にチゼルを配置することで、完全なほぞ穴周長の切れ目を入れるか、又は切り込むことを可能とすることができる。ガイドは、取り外されることができ、及び過剰な屑材は、例えば、ブロックプレーンの使用を通じて、ほぞ穴周長の間から取り除かれることができる。
【０００７】
[0030]ほぞ穴加工キットのガイドは、最終的なほぞ穴用のパターンを提供するツールであることができる。ガイドは、金属又はプラスチックのような任意の適した素材で作られることができる。ガイドは、ドア又はドアの側柱のような、ほぞ穴加工されることになる対象に取り外し可能に取り付けられることができるが、他の対象が使用され得る。ガイドは、圧力、接着剤、磁石、又はその他を使用して取り外し可能に取り付けられ得る。いくつかのケースでは、ガイドは、対象へと突出するように設計された突起によって対象に取り外し可能に固定される。これらの突起は、鋲、釘、又は他の類似の突起であることができる。いくつかのケースでは、突起は、一体型及び／又はガイド自体へと内蔵されることができる。いくつかのケースでは、これらの突起は、ガイド中の穴又は開口部を貫いて対象へと固定された鋲のように、ガイドから分離可能であることができる。いくつかのケースでは、突起は、蝶番ねじの将来のロケーションと整列させるように位置することができる。従って、突起は、蝶番を設置するためにねじが後に使用されるであろうロケーションにおいてパイロット穴を作成するように機能することができる。いくつかのケースでは、１つ又は複数の突起はまた、ドアロックのラッチアセンブリ、ラッチ、ボルトアセンブリ、又はボルトの挿入を可能にするために穴が対象素材へと別個に穿たれ得るロケーションのような、他の穴が穿たれる必要があり得る対象素材中のロケーションをマーキングすることができる。
【０００８】
[0031]ほぞ穴加工キットのガイドは、１つ又は複数のロケータ機構を含むことができる。ロケータ機構は、チゼルの繰り返し可能な適正な配置を確実にするために、チゼルと相互作用することができる。ロケータ機構は、チゼルの適正な配置を確実にするための機械的、電気的、磁気的、又は他の技法を含むことができる。いくつかのケースでは、ロケータ機構は、チゼルの突起を受け止めるための開口部を含むことができる。開口部であるそのようなロケータ機構は、チゼルの突起の側壁と相互作用するための側壁を含むことができる。いくつかのケースでは、ガイドのロケータ機構は、チゼルの開口部内に位置するように設計された突起であることができる。いくつかのケースでは、他の機械的機構が、ロケータ機構として使用されることができる。いくつかのケースでは、ロケータ機構は、ガイドのエッジに対するチゼルの刃（１つ以上）の配置に加えて使用される。いくつかのケースでは、ロケータ機構は、チゼルの刃（１つ以上）がガイドの任意のエッジに対して当て付けられることを必要とすることなしに、チゼルの適正な配置を可能にする。いくつかのケースでは、ロケータ機構は、チゼルをガイドに対する適正な配置へと促すように設計された磁石を含むことができる。いくつかのケースでは、電気的又は光学的フィードバックが、チゼルがガイドに対して適正な又は不適正な配置にあるときにそれを示すために使用されることができる。いくつかのケースでは、チゼルは、ガイドのロケータ機構と相互作用するロケータ機構を含む。いくつかのケースでは、チゼルのロケータ機構は、ガイドのロケータ機構のうちの任意のものに類似及び相補的であることができる。例えば、チゼルのロケータ機構は、突起、開口部、磁気的機構、又は任意の他の適した機構であることができる。
【０００９】
[0032]１つ又は複数のストッパは、チゼルが過度に深く対象素材へと切り込むことを避けるために、ガイドとチゼルとの間に含まれることができる。例えば、ガイドは、チゼルの肩部又は他の機構と相互作用するように設計された１つ又は複数のストッパを含むことができる。チゼルに加えられる力は初めに、対象素材へと切り込むことができる。所望される深度まで切り込んだ後に、チゼルの肩部又は他の機構は、ガイドの１つ又は複数のストッパと相互作用することができ、このことから、チゼルの切り込み刃に追加の加えられる力を集中させる代わりに、ガイドの表面エリア全体を通じていかなる追加の加えられる力も放散する。従って、所望される深度まで切り込んだ後に、チゼルに加えられる追加の力は、対象素材へと更に切り込む代わりに放散され得る。１つ又は複数のストッパは、ガイドへと一体的に形成されることができるか、ガイドに結合されることができるか、又は使用中にガイドとチゼルとの間に配置されることができる（例えば、ストッパは、金属、プラスチック、又は硬質ゴムの厚板であることができる）。いくつかのケースでは、ストッパは、所望される深度までチゼル加工することを可能にするように調節可能であることができるか、又は選択されることができる。例えば、ストッパは、調節されることができる、若しくは、１つ又は複数のストッパ又はストッパ取り付け部は、その他の方法で利用可能なものより狭い又は深い切り込み深度を提供するように選択されることができる。いくつかのケースでは、ロケータ機構は、１つ又は複数のストッパを含むことができる。いくつかのケースでは、ストッパは、ロケータ機構を含むことができる。いくつかのケースでは、１つ又は複数のストッパは、チゼルの一部として含まれることができる。
【００１０】
[0033]ほぞ穴加工キットは、チゼルを含むことができる。チゼルは、角チゼルであることができる。チゼルは、直角チゼルであることができ、互いに対して９０°又は約９０°であるか、若しくは互いの１°、２°、３°、４°、５°、６°、７°、８°、９°、１０°又は約１°、２°、３°、４°、５°、６°、７°、８°、９°、１０°内にあるエッジを有する切れ目を入れることができるか、又は切り込みを作ることができる。いくつかのケースでは、チゼルは、その角にフィレット又は面取りを有する切れ目又は切り込みを作り出すことができる。フィレット又は面取りは、任意の適した又は望ましいサイズであることができる。フィレット又は面取りは、５／８インチの半径を有する蝶番のような所望される蝶番と協調するように選択されることができる。いくつかのケースでは、フィレット又は面取りは、使用されない場合がある。いくつかのケースでは、正方形のエッジを有する蝶番であっても、最小面取りが使用され得る。
【００１１】
[0034]チゼルは、持ち手、１つ又は複数の肩部、及び１つ又は複数の刃を含むことができる。持ち手は、平坦にされ得るか、拡大される得か、又はハンマーの一撃からもたらされるような力をその他の方法で受け止め且つ集中させるのに適し得る、衝撃を受け止める端部を含むことができる。チゼルは、衝撃力を１つ又は複数の肩部へと、そして１つ又は複数の刃へと集中させることができる。従って、ある特定の深度まで、持ち手において受け止められる衝撃力は、刃（１つ以上）を対象素材へと打ち込むことができる。しかしながら、所望される深度に達すると、１つ又は複数の肩部と１つ又は複数のストッパとの間の相互作用は、ガイド本体全体を通じて衝撃力を放散させることになり、及び刃（１つ以上）が所望されるより深く打ち込まれることを妨げることになる。
【００１２】
[0035]いくつかのケースでは、チゼルは、１つ又は複数の取り外し可能又は交換可能な刃を含むことができる。例えば、チゼルは、１つ又は複数の刃を支えるための１つ又は複数の刃ホルダを含むことができる。例えば、刃ホルダは、刃を掴み、且つボルトのような締め具を締め付けることによって誘発された摩擦を通じて定位置に刃を固定することが可能な対向壁を含むことができる。他の刃ホルダが使用されることができる。１つ又は複数の刃ホルダは、１つ又は複数の肩部に結合されることができるか、又はその他の方法でチゼルの本体中に含まれるか、又は結合されることができる。交換可能な刃が使用されるとき、チゼルには、複数の刃形状を含むキットが付属し得る。例えば、キットは、その角にフィレットを有する刃、その角に面取りを有する刃、及びフィレット又は面取りを有さない９０°角を有する刃のうちの少なくとも２つを含み得る。いくつかのケースでは、キットは、その角に５／８インチのフィレットを有する刃、その角に１／４インチのフィレットを有する刃、９０°角を有する刃、及びその角に面取りを有する刃のうちの少なくとも２つを含み得る。使用者がチゼルを使用する準備をするとき、使用者は、蝶番の形状に最も合う刃を選択し、刃をチゼルへと固定し、本明細書により詳細に説明されるようにチゼルを使用し、蝶番用のほぞ穴を準備することができる。同じ使用者が異なる形状の蝶番でチゼルを使用することを所望するとき、使用者は、チゼルから第１の刃を取り外し、キットから異なる刃を選択し、新しい刃をチゼルに固定し、本明細書により詳細に説明されるようにチゼルを使用し、異なる形状の蝶番用のほぞ穴を準備することができる。
【００１３】
[0036]いくつかのケースでは、チゼルは、１つ又は複数の永久、即ち交換可能でない刃を含むことができる。永久刃は、使用者による交換用に設計されていない方法でチゼルに固定された（例えば、強力接着剤又は溶接で固定された）刃を含むことができるか、又はチゼルの一部として一体的に形成された刃を含むことができる。そのようなケースでは、１つ又は複数の刃は、チゼルの寿命を延ばすために研ぐことが可能であり得る。いくつかのケースでは、キットは、複数の永久刃チゼルを含むことができる。例えば、キットは、その角にフィレットを有する刃を有する永久刃チゼル、その角に面取りを有する刃を有する永久刃チゼル、及びフィレット又は面取りを有さない９０°角を有する刃を有する永久刃チゼルのうちの少なくとも２つの永久刃チゼルを含み得る。いくつかのケースでは、キットは、５／８インチのフィレット、１／４インチのフィレット、９０°角、又は面取り角を有する少なくとも２つの刃を提供するように選択された少なくとも２つのチゼルを含むことができる。
【００１４】
[0037]いくつかのケースでは、各チゼルは、所望される形状（例えば、フィレット又は面取りを有する又は有さない９０°の形状）へと曲げられたか、又は形成された単一刃を含むことができる。しかしながら、そのようなケースである必要はない。いくつかのケースでは、チゼルは、所望される形状を作り出すように配置された２つ以上の刃（例えば、９０°の角度で配置された２つの直刃）を含むことができる。本明細書に説明された単一刃のどの事例も、適宜、複数の刃に取って代わられ得る。
【００１５】
[0038]いくつかのケースでは、チゼル及び／又はガイドのロケータ機構は、ガイドの上面又は底面に対して垂直（例えば、基板素材の表面に対して垂直）以外の角度で刃が基板素材へと切り込むことを可能にするように角度付けられることができる。従って、角度付けられた又は斜角付けられた切り込みが作られることができる。
【００１６】
[0039]いくつかのケースでは、ガイドは、ロケータ機構の複数のセットを含むことができる。ロケータ機構の各セットは、特定のサイズのほぞ穴周長に関連付けられることができる。例えば、ロケータ機構の第１のセットとの、本明細書に開示されるチゼルの使用は、３インチの長さのほぞ穴を切り込むことを容易にし得るのに対して、ロケータ機構の第２のセットとのチゼルの使用は、４インチの長さのほぞ穴を切り込むことを容易にし得る。いくつかのケースでは、使用者は、異なるほぞ穴周長サイズを達成するために、異なるガイドとともに同じチゼルを使用することができる。いくつかのケースでは、使用者は、異なるほぞ穴周長サイズを達成するために、異なるチゼルとともに同じガイドを使用することができる。
【００１７】
[0040]対象素材へと切り込まれるほぞ穴に関する様々な実施形態が、本明細書に説明され、そのほぞ穴は、素材のエッジにまで延在する。いくつかのケースでは、しかしながら、ほぞ穴加工キットは、（例えば、リップを有さない）ガイドと、対象素材のどのエッジからも離間されたほぞ穴を切り込むために使用されることができるチゼルとを含むことができる。
【００１８】
[0041]これらの例示的な例は、ここに論述された一般的な主題を読者に紹介するために与えられており、及び開示された概念の範囲を限定することを意図されているわけではない。以下のセクションは、同様の数字が同様の要素を示す図面に関連して様々な追加の特徴及び例を説明し、及び方向の説明は、例示的な実施形態を説明するために使用されるが、例示的な実施形態と同様に、本開示を限定するために使用されるべきではない。本明細書の例示に含まれる要素は、原寸通りに描かれていない場合があり、及びある特定の寸法は、例示的な目的のために誇張され得る。
【００１９】
[0042]図１は、本開示のある特定の態様にしたがった、ほぞ穴加工キット１００を図示する不等角投影図である。ほぞ穴加工キット１００は、ガイド１０２及びチゼル１０４を含むことができる。ガイド１０２は、所望されるロケーションにほぞ穴加工されることになる対象素材上に配置されることができ、及びチゼル１０４は、チゼル１０４が衝撃を受けてほぞ穴周長を切り出すときに適正なアラインメントを確実にするために、ガイドと連携して使用されることができる。
【００２０】
[0043]ガイド１０２は、ドア又はドアの側柱の側面のような、ほぞ穴加工されることになる表面上に配置するための底面１０６を含むことができる。いくつかのケースでは、ガイド１０２は、ほぞ穴加工されることになる素材の正面に対して配置されることができるリップ１０８を含むことができる。リップ１０８は、結果として得られるほぞ穴が表面上に適した及び／又は十分な距離を延在するように、ガイド１０２の適正な配置を確実にすることができる。
【００２１】
[0044]「正面」及び「側面」という用語は、ほぞ穴加工されることになる対象素材に関連して本明細書に使用され、及び必ずしもほぞ穴に関してではなく、その対象素材自体（例えば、ドア）に関して使用され得る。例えば、正面は、ドアが閉じられているときにドアの前方又はドアの後方から見える表面を指し得るのに対して、側面は、ドアが開けられているときにのみ見える側面のような、ドアの厚さである幅を有する表面を指し得る。蝶番及び他のそのような機構は一般に、ドアの側面に取り付けられることから、それらの用語が本明細書に使用される場合、そのような蝶番用のほぞ穴は、その長さ及び幅を「側面」図で示し得、及びその厚さを「正面」図で示し得る。これらの用語又は向きは、便宜上使用されているに過ぎず、及び本開示を限定することを意図されているわけではない。
【００２２】
[0045]ガイド１０２は、ガイド１０２を対象素材に固定することを容易にするように設計された１つ又は複数の固定機構１１４を含むことができる。いくつかのケースでは、固定機構１１４は、ガイド１０２の底面１０６に又はその上にのみ存在し得る。例えば、固定機構１１４は、対象素材へと圧力を掛けるように設計された突起又は他の機械的機構であることができる。いくつかのケースでは、図１に図示されているように、固定機構１１４は、ガイド１０２を貫いて延在する及び／又はガイド１０２の上面１３４上に存在することができる。図１に図示されているように、固定機構１１４は、釘、ねじ、鋲、又は他の締め具のような締め具を受け止めるための中心開口部を含む隆起した部分である。締め具は、ガイド１０２の下の対象素材と係合するために、固定機構１１４の中心開口部を貫いて配置されることができる。
【００２３】
[0046]いくつかのケースでは、１つ又は複数の固定機構１１４は、蝶番締め具ロケーションに位置する。蝶番締め具ロケーションは、ほぞ穴加工キット１００によって形成されたほぞ穴中に蝶番が配置されるときに、蝶番を対象素材に固定するために締め具（例えば、ねじ）が使用されるであろうロケーションであることができる。このことから、対象素材上の固定機構１１４の任意のマーク、刻み目、又は他の残りの効果が、蝶番締め具（例えば、ねじ）用のパイロット穴の位置特定又は準備にさえ役立てるために使用されることができる。
【００２４】
[0047]ガイド１０２は、１つ又は複数のガイドロケータ機構１１０を含むことができる。ガイドロケータ機構１１０は、チゼルロケータ機構１２６と相互作用するように設計されることができる。ガイドロケータ機構１１０及びチゼルロケータ機構１２６は、任意の適した形状、サイズ、又はタイプであることができる。例えば、図１に図示されているように、ガイドロケータ機構１１０は、突起又は杭であるチゼルロケータ機構１２６が配置又は挿入されることができる穴又は開口部を含むことができる。ガイドロケータ機構１１０及びチゼルロケータ機構１２６は、スライド可能に共に噛み合うように設計されることができ、チゼル１０４がガイド１０２に対して垂直に（例えば、ガイド１０２の底面１０６に対して垂直に）移動することを可能にしつつ、チゼル１０４が他の様式で移動する（例えば、ガイド１０２の底面１０６に対して平行な平面内で並進するように、ガイド１０２に対して平行に並進する）ことを制限する。
【００２５】
[0048]いくつかのケースでは、ガイドロケータ機構１１０は、例えば、ガイド１０２に対して所望される向きでチゼル１０４の刃１１６を位置付けるであろうガイド１０２内でのチゼル１０４の一定の又は所望される位置を維持するために、その中でのチゼルロケータ機構１２６の回転運動を制限するように形成されることができる。例えば、ガイドロケータ機構１１０は、偏心形状（例えば、正方形又は卵形）を含むことができる、及び／又はガイドロケータ機構１１０に対するチゼル１０４の回転運動を制限するために、チゼルロケータ機構１２６の互換性のある部分と相互作用するキー部分を含むことができる。ガイド１０２が単一のガイドロケータ機構１１０のみを含む場合のような、いくつかのケースでは、ガイドロケータ機構１１０は、２つ以上の向きでチゼルロケータ機構１２６を受け入れるように設計されることができ、各向きは、ガイド１０２に対して異なるロケーションにおけるチゼル１０４の刃１１６の位置付けに対応する。
【００２６】
[0049]いくつかのケースでは、ガイドロケータ機構１１０とチゼルロケータ機構１２６との間の相互作用は、対象素材の表面と垂直の向き（例えば、ガイド１０２の底面１０６及び／又は上面１３４と垂直な向き）にチゼル１０４の１つ又は複数の刃１１６を維持することができる。
【００２７】
[0050]いくつかのケースでは、ガイド１０２は、少なくとも２つのガイドロケータ機構１１０を含むことができ、各々は、チゼルロケータ機構１２６と相互作用する（例えば、受け止める）ことが可能であり、及び各々は、チゼルロケータ機構１２６がそれぞれのガイドロケータ機構１１０と相互作用するときにチゼル１０４の一意の向きに対応する。例えば、チゼルロケータ機構１２６が第１のガイドロケータ機構１１０と相互作用するときに、チゼル１０４に加えられる力は、チゼルの刃１１６にほぞ穴周長の第１の部分を切り込ませることができ、及びチゼルロケータ機構１２６が第２のガイドロケータ機構１１０と相互作用するときに、チゼル１０４に加えられる力は、チゼルの刃１１６にほぞ穴周長の第２の部分を切り込ませることができる。いくつかのケースでは、ほぞ穴周長の第１の部分及びほぞ穴周長の第２の部分は、完全なほぞ穴周長を確立することができる。いくつかのケースでは、第１の部分及び第２の部分は、相互作用及び／又は重なり合うことができるが、そのようなケースである必要はない。
【００２８】
[0051]ガイドロケータ機構１１０は、チゼルロケータ機構１２６がガイドロケータ機構１１０と相互作用するときに、チゼル１０４の１つ又は複数の刃１１６がガイド１０２に対して（例えば、ガイド１０２の底面１０６及び／又はリップ１０８に対して）所望される位置にあることになるように、ガイド１０２上に明確に位置付けられることができる。例えば、ガイドロケータ機構１１０は、使用中にチゼル１０４の刃（１つ以上）１１６の適正な配置を確実にするために、リップ１０８から所望される距離に、及びガイド１０２の中心から所望される距離に位置することができる。
【００２９】
[0052]チゼル１０４は、１つ又は複数の刃１１６を支持するチゼルの持ち手１２２を含むことができる。チゼルロケータ機構１２６は、チゼル１０４に永久に又は取り外し可能に結合されることができる。チゼルロケータ機構１２６は、チゼルロケータ機構１２６がガイドロケータ機構１１０と相互作用するときに、１つ又は複数の刃１１６がガイド１０２に対して（例えば、ガイド１０２の底面１０６及び／又はリップ１０８に対して）所望される位置にあることになるように、１つ又は複数の刃１１６に対して明確に位置付けられることができる。
【００３０】
[0053]チゼル１０４は、例えば、ハンマー又は他の力源からの力を受け止めるための持ち手端部１２４を含むことができる。持ち手端部１２４において受け止められる力は、チゼル１０４を通じて１つ又は複数の刃１１６へと送られ、対象素材へと切り込むことができる。１つ又は複数の刃１１６は、１つ又は複数の刃ホルダ１１８を使用してチゼル１０４上に固定されることができるが、例えば、刃（１つ以上）１１６がチゼル１０４の全て又はいくつかの他の部分と一体的に形成される場合には、そのようなケースである必要はない。
【００３１】
[0054]チゼル１０４は、所望される深度を過ぎての対象素材への１つ又は複数の刃１１６の移動を制限するために（例えば、１つ又は複数の刃１１６の移動を、ガイド１０２の底面１０６を過ぎての所望される距離以下に制限するために）、ガイド１０２の１つ又は複数のストッパ１１２と相互作用することができる１つ又は複数の肩部１２０を含むことができる。いくつかのケースでは、１つ又は複数のストッパ１１２及び／又は１つ又は複数の肩部１２０は、チゼル１０４の１つ又は複数の刃１１６の移動の所望される深度又は所望される距離を設定するように調節可能であることができる。いくつかのケースでは、ガイドロケータ機構１１０は、ストッパ１１２として機能又はストッパ１１２を含むことができる。いくつかのケースでは、チゼルロケータ機構１２６は、肩部１２０として機能又は肩部１２０を含むことができる。いくつかのケースでは、ガイド１０２の上面１３４は、ストッパとして機能することができる。
【００３２】
[0055]図１に図示されているように、ガイドロケータ機構１１０は、ガイド１０２を貫いて延在する穴であるが、そのようなケースである必要はない。いくつかのケースでは、ガイド１０２の何らかの断面に穴又は開口部を含むガイドロケータ機構は、ガイド１０２の厚さ全体を貫くよりは短い距離にわたって延在することができ、このことから、露出面を有する凹部を形成する。いくつかのケースでは、チゼルロケータ機構１２６の先端（例えば、図１に図示されている下端）は、所望される深度を超えてのチゼル１０４の移動を制限するために、ガイドロケータ機構の凹部の露出面と相互作用することができる。そのようなケースでは、ガイドロケータ機構１１０は、必ずしもガイド１０２の上面１３４より上に延在することなしに、ストッパ１１２として機能することができる。
【００３３】
[0056]図１に図示されているように、４つのストッパ１１２が、上面１３４から延在する。切り込み方向（例えば、図１に見られるような下向き）にチゼル１０４に加えられる力は、チゼル１０４に、所望される深度に達するまで対象素材へと切り込ませることができ、その地点において、ストッパ１１２の先端（例えば、チゼルに最も近い端部）は、切り込み方向へのチゼル１０４の更なる移動を制限するために、肩部１２０と相互作用することができる。その時にチゼル１０４に加えられるどんな追加の力も、肩部１２０を通じて、ストッパ１１２を通じて、そしてガイド１０２へと放散されることができ、ガイド１０２は、ガイド１０２がそれに対して配置されている対象素材へとその力を更に放散し得る。
【００３４】
[0057]任意の数のストッパ１１２が使用されることができ、及びストッパ（１つ以上）１１２は、任意の適した形状又はサイズであることができる。いくつかのケースでは、ガイド１０２のストッパ１１２は、１つ又は複数のロケーションにおいてチゼル１０４の肩部１２０と相互作用することができる。いくつかのケースでは、ガイド１０２のストッパ１１２は、同時に全てのロケーションおいてチゼル１０４の肩部１２０と相互作用することができる。いくつかのケースでは、ガイドロケータ機構１１０とチゼルロケータ機構１２６との間の相互作用は、ガイド１０２の底面１０６、ガイド１０２の上面１３４、及び／又はガイド１０２の１つ又は複数のストッパ１１２の先端と平行の向きにチゼル１０４の肩部１２０を維持することができる。
【００３５】
[0058]いくつかのケースでは、任意のガイドロケータ機構１１０、固定機構１１４、及び／又はストッパ１１２を含むガイド１０２は、単一ピースの素材（例えば、プラスチック、ゴム、金属、又は任意の他の適した素材）から一体的に形成されることができるか、又は複数ピースで形成されることができる。いくつかのケースでは、ガイド１０２は、（例えば、接着剤、磁石、又はその他を使用して）ガイドロケータ機構１１０が取り付けられた既存ピースの器具を含むことができる。例えば、いくつかのケースでは、ガイド１０２は、ガイドロケータ機構１１０が取り外し可能に取り付けられた蝶番であることができる。
【００３６】
[0059]いくつかのケースでは、任意のチゼルロケータ機構１２６、刃１１６、刃ホルダ１１８、及び／又は肩部１２０を含むチゼル１０４は、単一ピースの素材（例えば、プラスチック、ゴム、金属、又は任意の他の適した素材）から一体的に形成されることができるか、又は複数ピースで形成されることができる。いくつかのケースでは、チゼル１０４は、（例えば、接着剤、磁石、又はその他を使用して）チゼルロケータ機構１２６が取り付けられた既存ピースの器具を含むことができる。例えば、いくつかのケースでは、チゼル１０４は、チゼルロケータ機構１２６（及び／又は肩部１２０）が永久に又は取り外し可能に取り付けられた既存の角チゼル１０４であることができる。
【００３７】
[0060]図２は、本開示のある特定の態様にしたがった、ほぞ穴加工キットのガイド２００の上面図である。ガイド２００は、図１のガイド１０２であることができる。ガイド２００は、１つ又は複数の側を有する周長２３２を含むことができる。上面２３４が見られることができ、それは、ほぞ穴加工されることになる対象素材と接触して配置されるであろう底面とは反対に位置する。ガイド２００は、リップ２０８が対象素材の別の表面（例えば、ドアの正面又は背面）と係合するまで、対象素材に対してスライドされ得る。
【００３８】
[0061]ガイド２００は、２つのガイドロケータ機構２１０を含むことができるが、任意の他の数のガイドロケータ機構２１０が使用されることができる。ガイド２００はまた、４つのストッパ２１２を含むことができるが、任意の他の数のストッパ２１２が使用されることができる。ガイドロケータ機構２１０は、リップ２０８からある距離１３０を離間されることができ、それにより、ガイドロケータ機構２１０は、ガイド２００が対象素材上に位置付けられるときに（例えば、リップ２０８が対象素材の正面又は背面に対して位置付けられるときに）、ほぞ穴加工されることになる対象素材に対して（例えば、対象素材の正面又は背面に対して）既知の位置にある。
【００３９】
[0062]いくつかのケースでは、ガイド２００は、１つの固定機構２１４を含むことができるが、任意の数の固定機構２１４が使用されることができる。いくつかのケースでは、固定機構２１４は、釘、ねじ、鋲、又は他のそのような締め具のような締め具が配置されることができる開口部２２８を含むことができる。締め具は、ガイド２００の下の対象素材と係合するために、固定機構２１４の開口部２２８を貫いて配置されることができ、そのことから、ガイド２００を対象素材に固定する。
【００４０】
[0063]図３は、本開示のある特定の態様にしたがった、ほぞ穴加工キットのチゼル３００の側面図である。チゼル３００は、図１のチゼル１０４であることができる。チゼル３００は、対象素材へと切り込むための刃エッジ３３８を有する刃３１６を含むことができる。刃３１６は、刃ホルダ３１８を使用してチゼル３００に固定されることができる。刃ホルダ３１８は、刃３１６をチゼル３００の本体に固定する１つ又は複数のピースを含むことができる。刃ホルダ３１８は、刃３１６の周囲に刃ホルダ３１８を締め付けるために使用されることができる１つ又は複数の締め具３３６（例えば、ナット及びボルト）を含むことができる。刃３１６をチゼル３００に取り外し可能に固定するための他の技法が使用されることができる。
【００４１】
[0064]チゼル３００は、持ち手端部３２４を有する持ち手３２２を含むことができる。持ち手端部３２４は、ハンマー又は他の衝撃装置のような衝撃装置からの力を受け止めるための平坦な表面を含むことができる。チゼル３００は、係合面３４０を有する肩部３２０を含むことができる。肩部３２０の係合面３４０は、ガイドに対するチゼル３００の移動を制限するために、ガイドのストッパと相互作用することができ、このことから、対象素材への切り込みが所望される深度までに制限されることを確実にするために、対象素材に対するチゼル３００の移動を制限する。
【００４２】
[0065]チゼル３００は、チゼルロケータ機構３２６を含むことができる。いくつかのケースでは、チゼル３００は、２つ以上のような任意の数のチゼルロケータ機構３２６を含むことができる。チゼルロケータ機構３２６は、ガイドのガイドロケータ機構によって受け止め可能な突起又は杭であることができる。いくつかのケースでは、しかしながら、チゼルロケータ機構３２６は、開口部、ホールド、凹部、又は、ガイドロケータ機構と相互作用し、且つチゼル３００とガイドとの間でスライド可能な関係を生じさせるための任意の他の適した機構であることができる。
【００４３】
[0066]いくつかのケースでは、チゼルロケータ機構３２６は、持ち手３２２と平行であることができる。いくつかのケースでは、チゼルロケータ機構３２６は、持ち手３２２と共線であることができる。いくつかのケースでは、チゼルロケータ機構３２６及び持ち手３２２は、共に結合されることができるか、又は単一のピースで一体的に作られることができる。いくつかのケースでは、持ち手３２２は、追加の握りを含むことができる。
【００４４】
[0067]図４は、本開示のある特定の態様にしたがった、ほぞ穴加工キットのチゼル４００の上面図である。チゼル４００は、図１のチゼル１０４であることができる。チゼル４００は、持ち手端部４２４を有する持ち手４２２を含むことができる。締め具４３６は、刃をチゼル４００に固定するために使用されることができる。チゼル４００は、肩部４２０を含むことができる。
【００４５】
[0068]図５は、本開示のある特定の態様にしたがった、面取り角５４２を有するほぞ穴加工キットのチゼル５００の底面図である。チゼル５００は、図１のチゼル１０４であることができる。チゼル５００は、チゼルロケータ機構５２６を含むことができる。締め具５３６及び刃ホルダ５１８は、刃５１６をチゼル５００に固定するために使用されることができる。チゼル５００は、肩部５２０を含むことができる。図５に図示されているように、肩部５２０は、刃５１６の端部間に延在することができるが、肩部５２０は、その他の方法で形成されることができる。
【００４６】
[0069]刃５１６は、面取り角５４２を含むことができる。面取り角５４２は、刃５１６の対向部分間に全体で９０°の角度を形成することができるが、他の角度が使用され得る。面取り角５４２を有する刃５１６は、その周長に類似の面取り角を有する、結果として得られるほぞ穴をもたらすことができる。面取り角５４２を有する刃５１６は、鋭角又は面取り角を有し得るある特定の蝶番又は類似の器具に特に適し得る。
【００４７】
[0070]いくつかのケースでは、図５のチゼル５００は、図６〜９に図示されているのと同じチゼルであることができるが、刃５１６に取って代わるように、異なる刃が設置されている。
【００４８】
[0071]図６は、本開示のある特定の態様にしたがった、小半径フィレット角を有するほぞ穴加工キットのチゼル６００の底面図である。チゼル６００は、図１のチゼル１０４であることができる。チゼル６００は、チゼルロケータ機構６２６を含むことができる。締め具６３６及び刃ホルダ６１８は、刃６１６をチゼル６００に固定するために使用されることができる。チゼル６００は、肩部６２０を含むことができる。図６に図示されているように、肩部６２０は、刃６１６の端部間に延在することができるが、肩部６２０は、その他の方法で形成されることができる。
【００４９】
[0072]刃６１６は、小半径フィレットを有するフィレット角６４２を含むことができる。小半径フィレットは、１／４インチ以下の半径を有するフィレットのような、任意の適したサイズであることができる。フィレット角６４２は、刃６１６の対向部分間に全体で９０°の角度を形成することができるが、他の角度が使用され得る。小半径フィレット角６４２を有する刃６１６は、その周長に類似のフィレット角を有する、結果として得られるほぞ穴をもたらすことができる。フィレット角６４２を有する刃６１６は、類似の形状の角を有し得るある特定の蝶番又は類似の器具に特に適し得る。
【００５０】
[0073]図７は、本開示のある特定の態様にしたがった、中半径フィレット角を有するほぞ穴加工キットのチゼル７００の底面図である。チゼル７００は、図１のチゼル１０４であることができる。チゼル７００は、チゼルロケータ機構７２６を含むことができる。締め具７３６及び刃ホルダ７１８は、刃７１６をチゼル７００に固定するために使用されることができる。チゼル７００は、肩部７２０を含むことができる。図７に図示されているように、肩部７２０は、刃７１６の端部間に延在することができるが、肩部７２０は、その他の方法で形成されることができる。
【００５１】
[0074]刃７１６は、中半径フィレットを有するフィレット角７４２を含むことができる。中半径フィレットは、１／４インチ又は約１／４インチと５／８インチ又は約５／８インチとの間の半径を有するフィレットのような、任意の適したサイズであることができる。フィレット角７４２は、刃７１６の対向部分間に全体で９０°の角度を形成することができるが、他の角度が使用され得る。中半径フィレット角７４２を有する刃７１６は、その周長に類似のフィレット角を有する、結果として得られるほぞ穴をもたらすことができる。フィレット角７４２を有する刃７１６は、類似の形状の角を有し得るある特定の蝶番又は類似の器具に特に適し得る。
【００５２】
[0075]図８は、本開示のある特定の態様にしたがった、大半径フィレット角を有するほぞ穴加工キットのチゼル８００の底面図である。チゼル８００は、図１のチゼル１０４であることができる。チゼル８００は、チゼルロケータ機構８２６を含むことができる。締め具８３６及び刃ホルダ８１８は、刃８１６をチゼル８００に固定するために使用されることができる。チゼル８００は、肩部８２０を含むことができる。図８に図示されているように、肩部８２０は、刃８１６の端部間に延在することができるが、肩部８２０は、その他の方法で形成されることができる。
【００５３】
[0076]刃８１６は、大半径フィレットを有するフィレット角８４２を含むことができる。大半径フィレットは、５／８インチ以上の半径を有するフィレットのような、任意の適したサイズであることができる。フィレット角８４２は、刃８１６の対向部分間に全体で９０°の角度を形成することができるが、他の角度が使用され得る。大半径フィレット角８４２を有する刃８１６は、その周長に類似のフィレット角を有する、結果として得られるほぞ穴をもたらすことができる。フィレット角８４２を有する刃８１６は、類似の形状の角を有し得るある特定の蝶番又は類似の器具に特に適し得る。
【００５４】
[0077]図９は、本開示のある特定の態様にしたがった、ほぞ穴加工キットの二枚刃チゼル９００の底面図である。チゼル９００は、図１のチゼル１０４であることができる。チゼル９００は、チゼルロケータ機構９２６を含むことができる。締め具９３６及び刃ホルダ９１８は、刃９１６、９１７をチゼル９００に固定するために使用されることができる。チゼル９００は、肩部９２０を含むことができる。図９に図示されているように、肩部９２０は、刃９１６、９１７の非接触端間に延在することができるが、肩部９２０は、その他の方法で形成されることができる。
【００５５】
[0078]刃ホルダ９１８は、垂直な向きに刃９１６及び刃９１７を固定するために使用されることができるが、他の向きが使用されることができる。刃９１６、９１７は、角を形成するように接触することができる。刃９１６、９１７は、その角において接触することができるか、又は互いから離間されることができる。対象素材中に連続した切り込みを作り出さないにもかかわらず、二枚刃９１６、９１７の使用は、それでもなお、ある特定のケースでは、ほぞ穴周長用の満足のいく切り込みを作り出し得る。二枚刃９１６、９１７の使用は、（例えば、９０°の、又は９０°に近い）鋭角を有し得るある特定の蝶番又は類似の器具に特に適し得る。
【００５６】
[0079]図１０は、本開示のある特定の態様にしたがった、ガイド１００２に対するチゼル１００４の配置を図示するほぞ穴加工キット１０００の正面図である。ほぞ穴加工キット１０００は、図１のほぞ穴加工キット１００であることができる。チゼル１００４は、ガイド１００２とアラインメントにあることが見られることができ、チゼルロケータ機構１０２６は、ガイドロケータ機構１０１０と整列する。図１０に図示されているように、チゼルロケータ機構１０２６は、外円周を有する突起であることができ、及びガイドロケータ機構１０１０は、内円周１０１１を有する穴又は凹部であることができる。いくつかのケースでは、チゼルロケータ機構１０２６及び／又はガイドロケータ機構１０１０は、円筒形及び／又は円錐形であることができるが、他の形状が使用されることができる。いくつかのケースでは、チゼルロケータ機構１０２６及び／又はガイドロケータ機構１０１０は、ガイドロケータ機構１０１０内でのチゼルロケータ機構１０２６の回転を制限するように設計された追加のキー機構を有する円筒形及び／又は円錐形であることができる。チゼルロケータ機構１０２６の外円周は、チゼル１００４とガイド１００２との間でスライド可能な関係を形成するために、ガイドロケータ機構１０１０の内円周１０１１内に配置されることができる。
【００５７】
[0080]チゼル１００４は、刃１０１６を固定するための刃ホルダ１０１８及び締め具１０３６を含むことができる。ガイド１００２のストッパ１０１２は、刃１０１６の移動を、ガイド１００２の底面１００６を過ぎての指定された距離に制限するために、チゼル１００４の肩部１０２０と相互作用することができる。図１０に図示されているように、ガイドロケータ機構１０１０の先端面１０１３はまた、チゼル１００４の肩部１０２０と係合するためのストッパ１０１２として機能することができる。更に、リップ１００８に対するガイドロケータ機構１０１０のロケーションと、刃１０１６に対するチゼルロケータ機構１０２６のロケーションは、リップ１００８に対する刃１０１６のアラインメントを、及び従って、リップ１００８がそれに対して配置されることができる表面素材に対する刃１０１６のアラインメントを容易にすることができる。
【００５８】
[0081]図１０に見られるように、ガイド１００２は、固定機構１０１４を含むことができる。固定機構１０１４は、釘、ねじ、鋲、又は他のそのような締め具のような締め具が配置されることができる開口部１０２８を含むことができる。締め具は、ガイド１００２の下の対象素材と係合するために、固定機構１０１４の開口部１０２８を貫いて配置され、且つガイド１００２の底面１００６を過ぎて延在することができ、そのことから、ガイド１００２を対象素材に固定する。いくつかのケースでは、固定機構は、ガイド１００２の底面１００６から、ガイド１００２がそれに対して配置される対象素材へと延在する突起を含むことができる。
【００５９】
[0082]図１１は、本開示のある特定の態様にしたがった、ガイド１１０２によって設定された停止深度まで対象素材１１５２へと打ち込まれたチゼル１１０４を図示するほぞ穴加工キット１１００の部分的切り欠き正面図である。ほぞ穴加工キット１１００は、図１のほぞ穴加工キット１００であることができる。
【００６０】
[0083]ガイド１１０２は、対象素材１１５２に対して位置付けられ、ガイド１１０２の底面１１０６は、対象素材１１５２の側面１１５８（例えば、ドアの側面）に対して当て付けられ、及びガイド１１０２のリップ１１０８は、対象素材１１５２の正面１１５６（例えば、ドアの正面又は背面）に対して当て付けられる。
【００６１】
[0084]チゼル１１０４の持ち手１１２２の持ち手端部１１２４において衝撃力を受け止め、刃１１１６を対象素材１１５２へと押し込んだ後に、チゼル１１０４が、ガイド１１０２及び対象素材１１５２と係合することが見られる。チゼルロケータ機構１１２６は、対象素材１１５２に対する（例えば、正面１１５６に対する）チゼル１１０４の適正な配置を確実にするために、ガイドロケータ機構と整列させられ、且つガイドロケータ機構と相互作用している。
【００６２】
[0085]切り欠き図により、ストッパ１１１２が見えており、それは、対象素材１１５２への刃１１１６の更なる移動を制限するために、肩部１１２０の係合面１１４０と係合している。結果として得られるほぞ穴周長切り込み１１６０の深度１１５４は、刃１１１６のエッジと、肩部１１２０の係合面１１４０がストッパ１１１２と接触する平面との間の距離１１５０によって設定されることができる。このことから、刃１１１６のエッジと係合面１１４０との間の距離を拡張し、及び／又はガイド１１０２のストッパ１１１２と底面１１０６との間の距離を減少させることは、ほぞ穴周長切り込み１１６０の深度１１５４を増大させるように機能することができる。同様に、刃１１１６のエッジと係合面１１４０との間の距離を減少させ、及び／又はガイド１１０２のストッパ１１１２と底面１１０６との間の距離を増大させることは、ほぞ穴周長切り込み１１６０の深度１１５４を減少させるように機能することができる。
【００６３】
[0086]図１２は、本開示のある特定の態様にしたがった、ほぞ穴１２６０が切り込まれているドア１２００を図示する側面図である。ほぞ穴１２６０は、図１のほぞ穴加工キット１００の適正な使用の結果であることができる。ドア１２００は、側面１２５８及び正面１２５６を含むことができる。ほぞ穴１２６０は、ドア１２００の厚さより小さい幅にわたって、正面１２５６から側面１２５８へと延在することができる。しかしながら、いくつかのケースでは、ほぞ穴は、正面１２５６から離間されることができるか、又はドア１２００の完全な厚さである幅にわたって延在することができる。
【００６４】
[0087]図１３は、本開示のある特定の態様にしたがった、ほぞ穴１３６０が切り込まれているドア１３００を図示する正面図である。ドア１３００及びほぞ穴１３６０は、図１２のドア１２００及びほぞ穴１２６０であることができる。ドア１３００は、側面１３５８及び正面１３５６を含むことができる。ほぞ穴１３６０は、ほぞ穴１３６０内に配置されることになる蝶番又は他の器具に関連付けられた深度１３５４にわたって、側面１３５８へと延在することができる。
【００６５】
[0088]図１４は、本開示のある特定の態様にしたがった、ドア１４００上のほぞ穴先行位置１４６１を図示する側面図である。ほぞ穴先行位置１４６１は、ほぞ穴がドア１４００上に所望される場所を表すことができる。任意のほぞ穴がその中に切り込まれるより前のドア１４００が図示されている。
【００６６】
[0089]図１５は、本開示のある特定の態様にしたがった、ほぞ穴先行位置１５６１に沿って位置付けられたチゼル刃１５１６を図示するドア１５００の側面図である。ドア１５００は、ほぞ穴先行位置１５６１の少なくとも一部分上へのチゼル刃１５１６の配置後の図１４のドア１４００であることができる。チゼル刃１５１６に力を加えると、ドア１５００へのほぞ穴周長切り込みを開始することができる。
【００６７】
[0090]チゼル刃１５１６は、ここに説明されたようなガイド及びロケータ機構の使用を通じて、ほぞ穴先行位置１５６１と整列させられることができる。チゼル刃１５１６は、図１のほぞ穴加工キット１００のようなほぞ穴加工キットのチゼルの一部であることができる。チゼル刃１５１６以外のほぞ穴加工キットの要素は、例示的な目的のために図示されていないが、そのような他の要素は、チゼル刃１５１６を適正に整列させるために使用され得る。
【００６８】
[0091]図１６は、本開示のある特定の態様にしたがった、ほぞ穴先行位置に沿って位置付けられ、且つ第１のほぞ穴切り込み１６６０と重なり合うチゼル刃１６１６を図示するドア１６００の側面図である。ドア１６００は、図１５に図示されているような、ほぞ穴周長切り込み１６６０が作られた後のほぞ穴先行位置１６６１の少なくとも第２の部分上へのチゼル刃１６１６の配置後の図１５のドア１５００であることができる。チゼル刃１６１６に力を加えると、ドア１６００への第２のほぞ穴周長切り込みを開始することができる。
【００６９】
[0092]チゼル刃１６１６は、ここに説明されたようなガイド及びロケータ機構の使用を通じて、ほぞ穴先行位置１６６１と整列させられることができる。チゼル刃１６１６は、図１のほぞ穴加工キット１００のようなほぞ穴加工キットのチゼルの一部であることができる。チゼル刃１６１６以外のほぞ穴加工キットの要素は、例示的な目的のために図示されていないが、そのような他の要素は、チゼル刃１６１６を適正に整列させるために使用され得る。
【００７０】
[0093]図１７は、本開示のある特定の態様にしたがった、図１５及び１６に図示されたように位置付けられたチゼル刃を使用して切り込まれたようなほぞ穴周長１７６０を図示するドア１７００の側面図である。ドア１７００は、完全なほぞ穴周長切り込み１７６０を作成するために第１及び第２のほぞ穴周長切り込みが図１５及び１６に図示されているように作られた後の図１６のドア１６００であることができる。完全なほぞ穴周長切り込み１７６０は、最終的なほぞ穴の外周長及び深度を確立することができる。
【００７１】
[0094]図１８は、本開示のある特定の態様にしたがった、ドア１８００中のほぞ穴周長切り込み１８６０を図示する正面図である。ほぞ穴周長切り込み１８６０は、ほぞ穴周長切り込み１７６０であることができる。ほぞ穴周長切り込み１８６０は、ドア１８００の側面１８５８への結果として得られるほぞ穴の深度１８５４を確立することができる。
【００７２】
[0095]図１９は、本開示のある特定の態様にしたがった、ドア１９００への部分的ほぞ穴切り込み１９７０を図示する正面図である。ドア１９００は、対象素材の一部分がほぞ穴周長切り込み１８６０内から取り除かれ、部分的ほぞ穴１９７０をもたらした後の図１８のドア１８００であることができる。
【００７３】
[0096]図２０は、本開示のある特定の態様にしたがった、ドア２０００へのほぞ穴切り込み２０７０を図示する正面図である。ドア２０００は、対象素材の残りがほぞ穴周長切り込み内から取り除かれ、ほぞ穴２０７０をもたらした後の図１９のドア１９００であることができる。
【００７４】
[0097]図２１は、本開示のある特定の態様にしたがった、ブロックプレーン２１００の上部を図示する不等角投影図である。ブロックプレーン２１００は、持ち手２１７２、刃ホルダ２１７４、及び窓２１７６を有する本体２１７０を含むことができる。刃ホルダ２１７４は、刃２１７８がブロックプレーン２１００の底面より下に突出するように、窓２１７６を通じて刃２１７８を支持することができる。
【００７５】
[0098]いくつかのケースでは、刃２１７８は、窓２１７６のほぼ完全な幅にわたって延在することができる。窓２１７６は、平坦化される対象素材がそれを通じて容易に見られることができる大きい開口を提供することができる。窓２１７６は、少なくとも刃２１７８と同じくらい幅広く、且つ少なくとも刃２１７８の幅の２０％、２５％、３０％、３５％、４０％、４５％、５０％、５５％、６０％、６５％、７０％、７５％、８０％、８５％、９０％、９５％、又は１００％と同じくらい長い開口を提示することができる。
【００７６】
[0099]大きい開口は、本開示のある特定の態様に従って準備されたほぞ穴周長切り込みからほぞ穴を切り込むのに特に適し得る。いくつかのケースでは、図１のほぞ穴加工キット１００のようなほぞ穴加工キットは、ブロックプレーン２１００を更に含むことができる。
【００７７】
[00100]図２２は、本開示のある特定の態様にしたがった、ブロックプレーン２２００の底部を図示する不等角投影図である。ブロックプレーン２２００は、図２１のブロックプレーン２１００であることができる。ブロックプレーン２２００は、持ち手２２７２、刃ホルダ２２７４、及び窓２２７６を有する本体２２７０を含むことができる。刃ホルダ２２７４は、刃２２７８がブロックプレーン２２００の底面２２８０より下に突出するように、窓２２７６を通じて刃２２７８を支持することができる。
【００７８】
[00101]図２３は、本開示のある特定の態様にしたがった、ブロックプレーン２３００の側面図である。ブロックプレーン２３００は、図２１のブロックプレーン２１００であることができる。ブロックプレーン２３００は、持ち手２３７２、刃ホルダ、及び窓を有する本体２３７０を含むことができる。刃ホルダは、刃２３７８がブロックプレーン２３００の底面２３８０より下に突出するように、窓を通じて刃２３７８を支持することができる。
【００７９】
[00102]図２４は、本開示のある特定の態様にしたがった、対象素材へとほぞ穴を切り込むためのプロセス２４００を図示するフローチャートである。ブロック２４０２において、ガイドは、所望されるロケーションに配置されることができる。ガイドの配置は、ガイドの底面を、ほぞ穴加工されることになる対象素材の表面に対して配置することと、オプションとして、ガイドのリップを対象素材の追加面（例えば、ガイドの底面がそれに対して配置される表面に対して垂直な追加面）と整列させることとを含むことができる。いくつかのケースでは、ガイドの配置はまた、例えば、締め具（例えば、釘、ねじ、等）の使用を通じて、ガイドを対象素材に取り外し可能に取り付けることを含むことができる。
【００８０】
[00103]ブロック２４０４において、チゼルは、ガイドの第１のロケータ機構中に配置される。チゼルを第１のロケータ機構中に配置することは、チゼルロケータ機構をガイドロケータ機構と整列させる及び係合することを含むことができる。チゼルロケータ機構をガイドロケータ機構と整列させる及び係合することは、チゼルロケータ機構及びガイドロケータ機構のうちの一方を他方へと配置することを含むことができる。ガイドロケータ機構とのチゼルロケータ機構の係合は、チゼルの刃がガイドに対して予測可能且つ繰り返し可能な経路に沿って対象素材へと移動するように、チゼル及びガイドとスライド可能な関係を確立することができる。
【００８１】
[00104]ブロック２４０６において、エッジの第１のセットを切り出すために、チゼルに力が加えられる。エッジの第１のセットは、チゼルの刃（１つ以上）が対象素材と係合する場所に対応する。ブロック２４０４におけるガイドの第１のロケータ機構とのチゼルの係合は、エッジの第１のセットが適切なロケーションにおいて切り込まれることを確実にすることができる。
【００８２】
[00105]ブロック２４０８において、チゼルは、ガイドの第２のロケータ機構中に配置されることができる。いくつかのケースでは、チゼルを第２のロケータ機構中に配置する代わりに、チゼルは、第１のロケータ機構中に、しかしながら、ブロック２４０４における配置とは異なる向き（例えば、９０°オフセット）で、配置されることができる。いくつかのケースでは、チゼルを第２のロケータ機構中に配置することは、チゼルロケータ機構を第２のガイドロケータ機構と整列させる及び係合することを含むことができる。ブロック２４０８におけるガイドロケータ機構とのチゼルロケータ機構の係合は、チゼルの刃がガイドに対して第２の予測可能且つ繰り返し可能な経路に沿って対象素材へと移動するように、チゼル及びガイドとスライド可能な関係を確立することができる。この第２の経路は、ブロック２４０４の第１の経路とは異なることができる。この第２の経路は、ブロック２４０４の第１の経路と部分的に交差及び／又は重なり合うことができる。
【００８３】
[00106]ブロック２４１０において、エッジの第２のセットを切り出すために、チゼルに力が加えられる。エッジの第２のセットは、ブロック２４０８に従って位置付けられるときにチゼルの刃（１つ以上）が対象素材と係合する場所に対応する。ブロック２４０８におけるガイドのロケータ機構とのチゼルの係合は、エッジの第２のセットがエッジの第１のセットに対して適切なロケーションにおいて切り込まれることを確実にすることができる。
【００８４】
[00107]ブロック２４１２において、ガイドが、対象素材から取り外されることができる。ブロック２４１４において、屑材（例えば、木屑又は他の屑材）が、エッジの第１のセットと第２のセットとの間から、対象素材から取り除かれることができる。いくつかのケースでは、エッジの第１及び第２のセットは、連続した又は連続していないほぞ穴周長を定める。ブロック２４１４において取り除かれる屑材は、ほぞ穴周長内に位置する屑材であることができる。ブロック２４１４において取り除かれる屑材は、エッジの第１及び第２のセットの深度まで取り除かれることができる。
【００８５】
[00108]例示された実施形態を含む、実施形態の前述の説明は、例示及び説明を目的としてのみ提示されており、及び網羅的であることを、又は開示されたまさにその形態に限定することを意図されているわけではない。それらの数多くの修正、適応、及び使用は、当業者にとって明らかとなるであろう。
【００８６】
[00109]以下に使用されるように、一連の例へのいかなる言及も、またはそれらの例の各々への言及として理解されるべきである（例えば、「例１〜４」は、「例１、２、３、又は４」として理解されるべきである）。
【００８７】
[00110]例１は、ほぞ穴加工キットであり、基板へとほぞ穴周長切り込みを切り込むための刃を有するチゼルと、前記チゼルは、チゼルロケータ機構を含む、ほぞ穴のロケーションにおいて前記基板上に位置付け可能であり、且つ周長を定める１つ又は複数のエッジを有するガイドと、前記ガイドは、前記ガイドと前記チゼルとの間でスライド可能な関係を確立するために、前記チゼルロケータ機構と相互作用するための少なくとも１つのガイドロケータ機構を有し、ここにおいて、前記スライド可能な関係は、前記チゼルの前記刃を、前記ガイドの前記周長に対して垂直であり、且つ前記ガイドの前記周長から離間された経路上に維持する、を備える。
【００８８】
[00111]例２は、例１に記載のほぞ穴加工キットであり、前記ガイドは、前記ガイドと前記チゼルとの間で追加のスライド可能な関係を確立するために、前記チゼルロケータ機構を受け止めるための少なくとも１つの追加のロケータ機構を含み、前記追加のスライド可能な関係は、前記チゼルの前記刃を、前記ガイドの前記周長に対して垂直であり、且つ前記ガイドの前記周長から離間された追加の経路上に維持し、及び前記追加の経路は、前記スライド可能な関係にあるときに前記チゼルに加えられる力が前記基板中に第１のほぞ穴周長切り込みをもたらし、及び前記追加のスライド可能な関係にあるときに前記チゼルに加えられる力が前記基板中に前記第１のほぞ穴周長切り込みと部分的に交差する第２のほぞ穴周長切り込みをもたらすように前記経路から離間され、及び前記第１のほぞ穴周長切り込み及び前記第２のほぞ穴周長切り込みは、ほぞ穴周長を定める。
【００８９】
[00112]例３は、例１又は２に記載のほぞ穴加工キットであり、前記チゼルは、前記刃の移動を制限するために、前記スライド可能な関係にあるときに前記１つ又は複数のガイドロケータ機構の１つ又は複数の端面と相互作用可能な肩部を含む。
【００９０】
[00113]例４は、例１〜３に記載のほぞ穴加工キットであり、前記チゼルは、肩部を含み、及び前記ガイドは、前記チゼルと前記ガイドとが前記スライド可能な関係にあるときに前記刃の移動を制限するために、前記チゼルの肩部と相互作用可能な１つ又は複数のストッパを含む。
【００９１】
[00114]例５は、例１〜４に記載のほぞ穴加工キットであり、前記チゼルは、前記刃を取り外し可能に固定するための刃ホルダを含む。
【００９２】
[00115]例６は、例１〜５に記載のほぞ穴加工キットであり、前記刃と交換可能な少なくとも１つの追加の刃を更に備え、前記刃は、第１のほぞ穴形状に関連付けられたほぞ穴周長切り込みを作り出すように形成され、及び前記少なくとも１つの追加の刃は、前記第１のほぞ穴形状とは異なる１つ又は複数の追加のほぞ穴形状に関連付けられたほぞ穴周長切り込みを作り出すように形成される。
【００９３】
[00116]例７は、例１〜６に記載のほぞ穴加工キットであり、前記チゼルロケータ機構及び前記少なくとも１つのガイドロケータ機構は、突起を含み、前記チゼルロケータ機構及び前記少なくとも１つのガイドロケータ機構のうちのもう１つは、開口部を含み、前記突起及び前記開口部は、前記チゼルロケータ機構と前記ガイドロケータ機構とが相互作用するときに前記スライド可能な関係を確立する。
【００９４】
[00117]例８は、ほぞ穴加工キットであって、刃を有するチゼル上に、及び前記刃から離間された距離を隔てて位置付け可能なチゼルロケータ機構と、周長を有するガイド上に、及び前記周長から離間された距離を隔てて位置付け可能なガイドロケータ機構と、ここにおいて、前記刃は、前記チゼルロケータ機構が前記ガイドロケータ機構と相互作用するときに前記周長に対して垂直であり、且つ前記周長から離間された経路の範囲に留められる、を備える。
【００９５】
[00118]例９は、例８に記載のほぞ穴加工キットであり、前記チゼルロケータ機構が追加のガイドロケータ機構と相互作用するときに前記刃が前記周長に対して垂直であり、且つ前記周長から離間された追加の経路の範囲に留められるように、前記ガイド上に位置付け可能な前記追加のガイドロケータ機構を更に備え、前記チゼルに加えられる力は、前記チゼルロケータ機構が前記ガイドロケータ機構と相互作用するときに第１のほぞ穴周長切り込みをもたらし、前記チゼルに加えられる力は、前記チゼルロケータ機構が前記追加のガイドロケータ機構と相互作用するときに第２のほぞ穴周長切り込みをもたらし、前記第１のほぞ穴周長切り込み及び第２のほぞ穴周長切り込みは、ほぞ穴周長を定めるように部分的に交差する。
【００９６】
[00119]例１０は、例８又は９に記載のほぞ穴加工キットであり、前記チゼルロケータ機構が前記ガイドロケータ機構と相互作用するときに前記刃の移動を制限するために、前記チゼル上に位置付け可能であり、且つ前記ガイドロケータ機構の端面と相互作用可能な肩部を更に備える。
【００９７】
[00120]例１１は、例８〜１０に記載のほぞ穴加工キットであり、前記チゼル上に位置付け可能なチゼル肩部と、前記チゼルロケータ機構が前記ガイドロケータ機構と相互作用するときに前記刃の移動を制限するために、前記ガイド上に位置付け可能であり、且つ前記チゼル肩部と相互作用可能なストッパとを更に備える。
【００９８】
[00121]例１２は、例８〜１１に記載のほぞ穴加工キットであり、前記チゼルは、前記刃を取り外し可能に固定するための刃ホルダを含む。
【００９９】
[00122]例１３は、例８〜１２に記載のほぞ穴加工キットであり、前記刃と交換可能な追加の刃を更に備え、前記刃は、第１のほぞ穴形状に関連付けられたほぞ穴周長切り込みを作り出すように形成され、及び前記追加の刃は、前記第１のほぞ穴形状とは異なる第２のほぞ穴形状に関連付けられたほぞ穴周長切り込みを作り出すように形成される。
【０１００】
[00123]例１４は、例８〜１３に記載のほぞ穴加工キットであり、前記チゼルロケータ機構及び前記ガイドロケータ機構のうちの１つは、突起を含み、前記チゼルロケータ機構及び前記ガイドロケータ機構のうちのもう１つは、開口部を含み、前記突起及び前記開口部は、前記チゼルロケータ機構と前記ガイドロケータ機構とが相互作用するときにスライド可能な関係を確立する。
【０１０１】
[00124]例１５は、方法であって、基板素材上にガイドを位置付けすることと、前記ガイドは、ガイドロケータ機構を含む、チゼルのチゼルロケータ機構を前記ガイドの前記ガイドロケータ機構と整列させることと、前記ガイドロケータ機構と前記チゼルロケータ機構との間の相互作用を誘発し、及び前記基板素材の表面に対して前記チゼルの刃を配置するために、前記チゼルを操作することと、前記刃を前記基板素材へと押し付け、及びほぞ穴周長切り込みを生じさせるために、前記チゼルに力を加えることとを備える。
【０１０２】
[00125]例１６は、例１５に記載の方法であって、前記チゼルロケータ機構と前記ガイドロケータ機構とを分離することによって、前記チゼルを取り外すことと、前記チゼルロケータ機構を前記ガイドの追加のガイドロケータ機構と整列させることと、前記追加のガイドロケータ機構と前記チゼルロケータ機構との間の相互作用を誘発し、及び前記基板素材の前記表面に対して前記チゼルの前記刃を配置するために、前記チゼルを操作することと、前記刃を前記基板素材へと押し付け、及び追加のほぞ穴周長切り込みを生じさせるために、前記チゼルに力を加えることと、ここにおいて、前記ほぞ穴周長切り込み及び前記追加のほぞ穴周長切り込みは、ほぞ穴周長を定めるように部分的に交差する、を更に備える。
【０１０３】
[00126]例１７は、例１６に記載の方法であって、前記ほぞ穴周長内の前記基板素材から素材を取り除くために、ブロックプレーンをあてがうことを更に備える。
【０１０４】
[00127]例１８は、例１５〜１７に記載の方法であって、前記チゼルに力を加えることは、前記チゼルの肩部に、前記基板素材への前記刃の移動を制限するために、前記ガイドロケータ機構の端面と相互作用させるのに十分な力を加えることを含む。
【０１０５】
[00128]例１９は、例１５〜１８に記載の方法であって、前記チゼルに力を加えることは、前記チゼルの肩部に、前記基板素材への前記刃の移動を制限するために、前記ガイドのストッパと相互作用させるのに十分な力を加えることを含む。
【０１０６】
[00129]例２０は、例１５〜１９に記載の方法であって、前記チゼルロケータ機構を前記ガイドロケータ機構と整列させることは、突起を開口部と整列させることを含み、前記突起及び前記開口部は、前記チゼルロケータ機構と前記ガイドロケータ機構とが相互作用するときにスライド可能な関係を確立する。
【図１】
2020528373.tif 000003
【図２】
2020528373.tif 000004
【図３】
2020528373.tif 000005
【図４】
2020528373.tif 000006
【図５】
2020528373.tif 000007
【図６】
2020528373.tif 000008
【図７】
2020528373.tif 000009
【図８】
2020528373.tif 000010
【図９】
2020528373.tif 000011
【図１０】
2020528373.tif 000012
【図１１】
2020528373.tif 000013
【図１２】
2020528373.tif 000014
【図１３】
2020528373.tif 000015
【図１４】
2020528373.tif 000016
【図１５】
2020528373.tif 000017
【図１６】
2020528373.tif 000018
【図１７】
2020528373.tif 000019
【図１８】
2020528373.tif 000020
【図１９】
2020528373.tif 000021
【図２０】
2020528373.tif 000022
【図２１】
2020528373.tif 000023
【図２２】
2020528373.tif 000024
【図２３】
2020528373.tif 000025
【図２４】
2020528373.tif 000026
【国際調査報告】
2020528373.tif 000027
2020528373.tif 000028